(57)【要約】【課題】定電圧回路を有する照明器具における電池パックの残容量を報知することが可能な照明器具を提供する。【解決手段】電池パック１２からの入力電圧を計測する入力電圧検知部２２及び制御部２３で計測された電圧が、減光開始電圧Ｖ１以下になった時に、光源部２５の減光を開始するように光源部２５への出力電圧を調整する制御部２３、調光制御部３１及び出力電圧切替部３３を備える。【選択図】図１
2013191304.tif 000002
【特許請求の範囲】
【請求項１】
定格出力電圧の異なる電池パックを選択的に利用可能とするべく、前記電池パックの出力電圧に関わらず該電池パックからの入力電圧を一定電圧となるように調整する定電圧回路と、該定電圧回路にて調整された出力電圧によって点灯駆動する光源部と、を備えた照明器具であって、
前記電池パックからの入力電圧を計測する電圧計測部で計測された電圧が、減光開始電圧以下になった時に、前記光源部の減光を開始するように前記出力電圧を調整する調光部を備えたことを特徴とする照明器具。
【請求項２】
請求項１に記載の照明器具において、
前記調光部は、前記電圧計測部で計測された電圧が、前記減光開始電圧以下の電圧値である消灯電圧以下になった時に、前記光源部を消灯させることを特徴とする照明器具。
【請求項３】
請求項１又は２に記載の照明器具において、
前記調光部は、前記電圧計測部で計測された電圧が、前記減光開始電圧以下となった時に、前記電圧計測部で計測された電圧が低くなるにつれて前記光源部の減光を段階的に行うことを特徴とする照明器具。
【発明の詳細な説明】
【技術分野】
【０００１】
本発明は、異なる電圧の電池パックに対応して定電圧回路を備える照明器具に関するものである。
【背景技術】
【０００２】
従来、照明器具では、例えば特許文献１に示すように充電可能な二次電池を用いる電池パックを電源として採用したものが知られている。
また、照明器具では、例えば特許文献２に示すように電源からの電圧が異なっても、光源部に出力する電圧を一定にするために定電圧回路を設けたものが知られている。
【先行技術文献】
【特許文献】
【０００３】
【特許文献１】特開２００８−２９１５６号公報
【特許文献２】特開２００７−２８７９６４号公報
【発明の概要】
【発明が解決しようとする課題】
【０００４】
ところで、上記のような照明器具では、二次電池を用いる電池パックの定格出力電圧が異なる場合でも、例えば定電圧回路を設けることで、定格出力電圧の異なる電池パックのいずれを利用しても一定の電圧を得ることが可能となる。そして、定電圧回路を設けることで、電池パックからの電圧が低くなっても略一定の明るさで光源部を点灯させる。
【０００５】
しかしながら、電池パックの充電の残容量が無くなると、例えば図４に示すように、電池パックからの入力電圧が消灯電圧ＶＥとなるまで低くなると、光源部が突然消灯されることとなるため、使用途中で照明器具を利用できなくなる虞がある。
【０００６】
本発明は、上記課題を解決するためになされたものであって、その目的は、定電圧回路を有する照明器具における電池パックの残容量を報知することが可能な照明器具を提供することにある。
【課題を解決するための手段】
【０００７】
上記課題を解決するために、本発明の照明器具は、定格出力電圧の異なる電池パックを選択的に利用可能とするべく、前記電池パックの出力電圧値に関わらず該電池パックからの入力電圧を一定電圧となるように調整する定電圧回路と、該定電圧回路にて調整された出力電圧によって点灯駆動する光源部と、を備えた照明器具であって、前記電池パックからの入力電圧を計測する電圧計測部で計測された電圧が、減光開始電圧以下になった時に、前記光源部の減光を開始するように前記出力電圧を調整する調光部を備えたことを特徴とする。
【０００８】
また上記構成において、調光部は、前記電圧計測部で計測された電圧が、前記減光開始電圧以下の電圧値である消灯電圧以下になった時に、前記光源部を消灯させることが好ましい。
【０００９】
また上記構成において、調光部は、前記電圧計測部で計測された電圧が、前記減光開始電圧以下となった時に、前記電圧計測部で計測された電圧が低くなるにつれて前記光源部の減光を段階的に行うことが好ましい。
【発明の効果】
【００１０】
本発明によれば、定電圧回路を有する照明器具における電池パックの残容量を報知することが可能な照明器具を提供することができる。
【図面の簡単な説明】
【００１１】
【図１】実施形態における照明器具の概略構成を説明するための説明図である。
【図２】同上における照明器具の光源部の制御方法について説明するためのタイミングチャートである。
【図３】別例における照明器具の光源部の制御方法について説明するためのタイミングチャートである。
【図４】従来構成の照明器具の光源部の制御方法について説明するためのタイミングチャートである。
【発明を実施するための形態】
【００１２】
以下、本発明を具体化した一実施形態を図面に従って説明する。
図１に示すように、本実施形態の照明器具１０は、光源部２５を有する器具本体１１と、この器具本体１１に着脱自在な電池パック１２とを備える。この電池パック１２は、器具本体１１の電源用端子１１ａ，１１ｂに対応して電源用端子１２ａ，１２ｂを備えている。電池パック１２は、器具本体１１への装着時に相互の各端子１１ａ，１１ｂ，１２ａ，１２ｂが電気的に接続されることで器具本体１１側への電力供給が可能になる。電池パック１２は、複数のセルＣが直列に接続されて構成されている。本実施形態では、セルＣは、リチウムイオンバッテリーで構成され、１つのセルＣあたりの電圧が３．６Ｖとなるような構成とされる。
【００１３】
図１に示すように、器具本体１１は、図示しないハウジング内に、手動スイッチ２１と、入力電圧検知部２２と、制御部２３と、定電圧回路２４と、光源部２５とを備える。
手動スイッチ２１は、電池パック１２からの電力供給をオンオフさせるものであり、前記ハウジングの外部に少なくとも使用者が操作可能な状態で露出されている。
【００１４】
入力電圧検知部２２は、電池パック１２に対して２つの抵抗２２ａ，２２ｂを直列接続した抵抗分圧回路であり、各抵抗２２ａ，２２ｂ間に制御部２３が電気的に接続されている。そして、制御部２３は、前記抵抗２２ａ，２２ｂの分圧抵抗から装着された電池パック１２のセルＣの数の違いによる種別を識別することが可能となっている。本実施形態では、入力電圧検知部２２と制御部２３とで電圧計測部が構成される。
【００１５】
定電圧回路２４は、前記電池パック１２の定格出力電圧が異なっても光源部２５に所定の電圧Ｖ１を出力するものである。定電圧回路２４は、前記制御部２３と電気的に接続される調光制御部３１と、この調光制御部３１によってＰＷＭ制御される出力電圧調整部３２と、出力電圧切替部３３と、出力電圧検知部３４とを備える。
【００１６】
出力電圧調整部３２は、スイッチング素子で構成され、調光制御部３１からの信号に基づいてオンオフ動作が切り替えられる。
出力電圧検知部３４は、２つの抵抗３４ａ，３４ｂを直列接続した抵抗分圧回路であり、各抵抗３４ａ，３４ｂ間に調光制御部３１が接続されている。このため、調光制御部３１は、前記抵抗３４ａ，３４ｂの分圧抵抗に応じて出力電圧調整部３２であるスイッチング素子のオンオフを制御する。
【００１７】
出力電圧切替部３３は、調光制御部３１とで、出力電圧検知部３４並びに光源部２５に印加される電圧を切り替えて（調整して）光源部２５の明るさを調整する調光部として機能する。出力電圧切替部３３は、前記出力電圧検知部３４の一方の抵抗３４ａに対して並列接続される抵抗３３ａ及びスイッチング素子３３ｂを備える。また、出力電圧切替部３３は、前記抵抗３３ａ及びスイッチング素子３３ｂと並列接続される、２つの抵抗３３ｃ，３３ｄとスイッチング素子３３ｅとを備える。
【００１８】
次に、上記のように構成された照明器具１０の動作例（作用）を図１及び図２を用いて説明する。
まず、使用者により図１に示した手動スイッチ２１が操作されると、電池パック１２から器具本体１１側に電力供給が行われる。電力供給が行われると、制御部２３が起動する。制御部２３は、前記入力電圧検知部２２から取得可能な電池パック１２の入力電圧に応じて調光制御部３１に対して制御開始信号Ｓ１や停止信号Ｓ２を出力する。より具体的には、制御部２３は、電池パック１２の入力電圧が消灯電圧ＶＥ（図２参照）より高ければ制御開始信号Ｓ１を出力し、電池パック１２の入力電圧が消灯電圧ＶＥ以下であれば停止信号Ｓ２を出力する。ここで、消灯電圧ＶＥは電池パック１２の過放電を防止するように仕様等で予め設定されるものである。
【００１９】
制御開始信号Ｓ１が調光制御部３１に入力されると、調光制御部３１は、出力電圧検知部３４に印加される電圧（≒光源部７に印加される電圧）に応じて前記出力電圧調整部３２のオンオフのタイミングを制御、即ちＰＷＭ制御を行う。
【００２０】
このとき、例えば電池パック１２の入力電圧が減光開始電圧Ｖ１より高い場合（図２において時間ｔ０〜ｔ１の区間）、制御部２３は、スイッチング素子３３ｅをオフ状態として、抵抗３３ｃ，３３ｄに電圧が印加されない状態とする。これにより、これらの抵抗３３ｃ，３３ｄ間に接続されるスイッチング素子３３ｂはオフ状態とされる。このため、光源部２５に印加される電圧は出力電圧検知部３４に印加される電圧と等しくなり、調光制御部３１は、減光開始電圧Ｖ１となるまで、その電圧が略一定となるように出力電圧調整部３２をＰＷＭ制御する。
【００２１】
また、制御部２３は、使用中の時間ｔ１において、電池パック１２の入力電圧が減光開始電圧Ｖ１となると、出力電圧切替部３３のスイッチング素子３３ｅをオン状態に切り替える。すると、前記抵抗３３ｃ，３３ｄに電圧が印加されて、スイッチング素子３３ｂがオン状態とされる。そして、出力電圧切替部３３の抵抗３３ａの単体の抵抗値から、この抵抗値と出力電圧検知部３４の抵抗３４ａとの合成抵抗値となるため、調光制御部３１で監視する出力電圧切替部３３側の電圧の分圧比が変更されて光源部２５に印加される出力電圧が変化する。このとき、光源部２５に印加される出力電圧が前記ｔ０〜ｔ１の区間において印加される出力電圧の略半分となるように設定すると、ｔ０〜ｔ１の区間における光源部２５よりも暗く点灯される。
【００２２】
その後、時間ｔ０において、電池パック１２の入力電圧が消灯電圧ＶＥとなると、制御部２３は、調光制御部３１に停止信号Ｓ２を出力する。すると、調光制御部３１は、出力電圧調整部３２をオフ状態として、光源部２５への電圧印加（電力供給）を遮断する。
【００２３】
次に、本実施形態の特徴的な効果を記載する。
（１）電池パック１２からの入力電圧を計測する入力電圧検知部２２及び制御部２３で計測された電圧が、減光開始電圧Ｖ１以下になった時に、光源部２５の減光を開始するように光源部２５への出力電圧を調整する制御部２３、調光制御部３１及び出力電圧切替部３３を備える。このため、定電圧回路２４を備えた照明器具１０において、光源部２５を減光させて電池パック１２の充電残量が減ったことを報知することができる。
【００２４】
（２）入力電圧検知部２２及び制御部２３で計測された電圧が、前記減光開始電圧Ｖ１以下の電圧値である消灯電圧ＶＥ以下になった時に、光源部２５を消灯させる。このような構成とすることで、電池パック１２が過放電状態となる前に消灯させて電池パック１２の過放電を防止することが可能となる。
【００２５】
尚、本発明の実施形態は、以下のように変更してもよい。
・上記実施形態では、１つのセルＣあたりの電圧値を３．６Ｖとしたが、これに限らない。
【００２６】
・上記実施形態では、減光開始電圧Ｖ１より高い電圧の場合の光源部２５に印加される電圧を１００％としたときに、減光開始電圧Ｖ１以下で、光源部２５に印加される電圧が５０％となるような構成としたが、これに限らない。減光開始電圧Ｖ１以下での光源部２５への印加電圧は、前述の減光開始電圧Ｖ１より高い入力電圧の時に印加される電圧未満であれば適宜変更してもよい。
【００２７】
また、上記実施形態では、１段階の減光を実施する構成としたが、例えば図３に示すように減光開始電圧Ｖ１〜消灯電圧ＶＥ間に閾値を複数段階（図３ではＶ２及びＶ３の２段階）設けて、その段階に応じて出力電圧（光源部２５への印加電圧）を調整する構成としてもよい。この場合、例えば出力電圧切替部３３をその段階数分だけ設けるか、Ｄ／Ａコンバータを用いる構成を採用してもよい。
【符号の説明】
【００２８】
１０…照明器具、１２…電池パック、２２…電圧計測部を構成する電圧検知部、２３…電圧計測部及び調光部を構成する制御部、２４…定電圧回路、２５…光源部、３１…調光部を構成する調光制御部、３３…調光部を構成する出力電圧切替部。
【図１】
2013191304.tif 000003
【図２】
2013191304.tif 000004
【図３】
2013191304.tif 000005
【図４】
2013191304.tif 000006